(57)【要約】【課題】  例えキャビネットの形状が複雑な場合でもキャビネットに複数の部品を装着して容易に組み立てることができ、これを通じて作業の円滑化、簡素化、及び作業の効率化等を図ることのできる遊技機用治具を提供する。【解決手段】  スロットマシンからなる遊技機を開閉するキャビネット３の組立時にキャビネット３を受け治具２０に支持させるものであって、キャビネット３を、機種依存キャビネット４と共通キャビネット６とから構成する。また、受け治具２０を、ＰＥＴ等の成形材料を使用して水を充填可能な中空にブロー成形され、キャビネット３に接触する略リング形の成形体２１と、成形体２１の流体充填口２２を開閉する着脱自在のキャップ２４とから構成する。【選択図】  図４
2007097941.tif 000002
【特許請求の範囲】
【請求項１】
遊技機のキャビネットの組立時にキャビネットを受け治具に支持させる遊技機用治具であって、
キャビネットは、三次元ＣＡＤデータを用いて形成され、遊技機の機種に応じて形状が変更される機種依存部分を含み、
受け治具は、流体を充填可能な中空に成形され、キャビネットに接触する成形体を含み、この成形体におけるキャビネットの機種依存部分に接触する領域を、三次元ＣＡＤデータを用いて機種依存部分の形状に略対応するよう形成したことを特徴とする遊技機用治具。
【請求項２】
受け治具は、成形体の流体充填口を開閉する着脱自在の蓋体を含む請求項１記載の遊技機用治具。
【発明の詳細な説明】
【技術分野】
【０００１】
本発明は、スロットマシン等からなる遊技機の製造時に使用される遊技機用治具に関するものである。
【背景技術】
【０００２】
スロットマシン等からなる遊技機は、その筐体の開口した正面にキャビネットが前後方向に開閉可能に軸支されるが、このキャビネットの裏面側（内側）には、複数の基板や上部スピーカ等からなる各種の部品が螺子により装着される。
このキャビネットに各種の部品を装着して組み立てる作業は、図示しない作業台上に複数枚のダンボールを積層して所定の厚さとし、この複数枚のダンボールにタオルを巻いてキャビネットを水平に寝かせ、その後、このキャビネットの裏面側に、複数の基板や上部スピーカ等を複数本の螺子により上方から螺着することにより行なわれる（特許文献１参照）。
【特許文献１】特開２００２‐１０８４２９号公報
【発明の開示】
【発明が解決しようとする課題】
【０００３】
キャビネットに各種の部品を装着して組み立てる従来の作業は、以上のように行なわれているので、キャビネットの形状が単純な場合には、特に支障を来たさないものの、キャビネットの形状が複雑な場合には、作業の煩雑化、複雑化、及び作業の非効率化を招くという問題がある。
【０００４】
すなわち、近年における遊技機のキャビネットは、遊技機の射幸性、趣味性、多様性を向上させるべく、遊技機の機種に応じて形状が複雑に変更される機種依存キャビネットと、遊技機の機種に共通の共通キャビネットとを備え、複雑な傾斜面や湾曲面を有する機種依存キャビネットに、アニメーションや動物等を模したキャラクターを遊技に関連させて表示する液晶ユニットの装着されていることが少なくない。
【０００５】
したがって、係るキャビネットに複数の基板、上部スピーカ、及び液晶ユニット等からなる各種の部品を装着して組み立てる場合には、機種毎にダンボールの一部を切り欠いたり、対応する穴を空けなければ、キャビネット、特に凹凸を実質的に有する機種依存キャビネットを水平かつ安定に固定することができず、その結果、組立作業が煩雑化したり複雑化し、組立作業の効率が著しく悪化することとなる。
【０００６】
本発明は上記に鑑みなされたもので、例えキャビネットの形状が複雑な場合でもキャビネットに複数の部品を装着して容易に組み立てることができ、これを通じて作業の円滑化、簡素化、及び作業の効率化等を図ることのできる遊技機用治具を提供することを目的としている。
【課題を解決するための手段】
【０００７】
本発明においては上記課題を解決するため、遊技機のキャビネットの組立時にキャビネットを受け治具に支持させるものであって、
キャビネットは、三次元ＣＡＤデータを用いて形成され、遊技機の機種に応じて形状が変更される機種依存部分を含み、
受け治具は、流体を充填可能な中空に成形され、キャビネットに接触する成形体を含み、この成形体におけるキャビネットの機種依存部分に接触する領域を、三次元ＣＡＤデータを用いて機種依存部分の形状に略対応するよう形成したことを特徴としている。
【０００８】
なお、受け治具は、成形体の流体充填口を開閉する着脱自在の蓋体を含むことが好ましい。
【０００９】
ここで、特許請求の範囲におけるキャビネットは、二分割や三分割等の複数に分割されるものでも良いし、そうでなくても良い。成形体は、流体を充填可能な中空であれば、トラック形、リング形、枠形、略円板形、略板形等でも良く、透明、不透明、半透明を特に問うものではない。この成形体に充填される流体には、少なくとも各種液体や砂等が含まれる。
【００１０】
成形体におけるキャビネットの機種依存部分に接触する領域は、キャビネットの三次元ＣＡＤデータを用いて機種依存部分の形状に対応するよう形成することもできるし、機種依存部分の形状におおよそ対応するよう形成することもできる。また、成形体の流体充填口は、単数複数を特に問うものではない。
【００１１】
さらに、遊技機は、パチンコ遊技機でも良いが、スロットマシン（パチスロ）でも良い。このスロットマシンには、ＡタイプやＢタイプ等があるが、可変表示装置に表示した複数の識別情報をそれぞれ変動させた後に停止させ、この停止した複数の識別情報の組み合わせが予め定められた当選の組み合わせであるときには、通常遊技状態から遊技者に有利な特別遊技状態に移行する機器であれば、いずれのタイプでも良い。
【発明の効果】
【００１２】
本発明によれば、例え遊技機のキャビネット、特にキャビネットにおける機種依存部分の形状が複雑な場合でも、受け治具の成形体がキャビネットの機種依存部分を支持するので、姿勢の安定したキャビネットに複数の部品を装着して容易に組み立てることができる。したがって、製造作業の円滑化、簡素化、及び作業の効率化等を図ることができるという効果がある。
【００１３】
また、機種依存部分を形成した際の三次元ＣＡＤデータの面データを利用して成形体の機種依存部分に接触する領域を形成するので、機種依存部分と成形体とを適切に面接触させ、位置ずれやがたつきを防ぐことができる。また、受け治具の成形体を切削法等ではなく、成形法により製造するので、軽量化や量産化等が期待できる。また、成形体に流体を充填すれば、成形体の質量を増大させて位置ずれやがたつきを抑制することができ、質量を調整することも可能になる。逆に、成形体から流体を抜き取れば、成形体の質量を低下させて容易に運搬、搬送、保管等することが可能になる。
【００１４】
さらに、受け治具に、成形体の流体充填口を開閉する着脱自在の蓋体を取り付ければ、
成形体から流体が漏れ出してキャビネットの電気機器・電子機器に悪影響を与えたり、汚染が生じるのを防ぐことが可能になる。
【発明を実施するための最良の形態】
【００１５】
以下、図面を参照して本発明の好ましい実施の形態を説明すると、本実施形態における遊技機用治具は、図１ないし図７に示すように、スロットマシンからなる遊技機１を開閉するキャビネット３の組立時にキャビネット３を受け治具２０に支持させるものであって、キャビネット３を、機種依存キャビネット４と共通キャビネット６とから構成し、受け治具２０を、簡易な構成の成形体２１と着脱自在のキャップ２４とから構成するようにしている。
【００１６】
遊技機１は、図１に示すように、サンドと呼ばれている遊技用のコイン貸出機に隣接する縦長の筐体２と、この筐体２に着脱可能に収納されるメインユニットと、これら筐体２やメインユニットの抽選用のリール装置等に電力を供給する電源ユニットと、この電源ユニットからコネクタ等を介し電力を供給されて全体を制御する制御装置とを備え、遊技店の一ブロックであるシマに設置されている。筐体２は、正面の開口したフロントオープンボックス構造に構成され、開口した正面がキャビネット３に開閉される。
【００１７】
キャビネット３の機種依存キャビネット４と共通キャビネット６とは、それぞれ三次元ＣＡＤデータを用いて形成されている。この機種依存キャビネット４と共通キャビネット６の一部は図３や図４に示すように、相互に重なった積層状態で受け治具２０に水平に支持され、図示しない複数の基板や上部スピーカ等が複数本の螺子により上方から螺着される。
【００１８】
機種依存キャビネット４は、図１に示すように、複雑な傾斜面や湾曲面を有する横長に形成され、筐体２の正面における最上部に取り外し可能に装着されるとともに、遊技機１の機種に応じて形状が変更されたり、交換される（図６、図７参照）。この凹凸を実質的に有する機種依存キャビネット４は、その中央部に横長の装着口が矩形に形成され、この装着口に、キャラクターを遊技に関連させて表示する大型の液晶ユニット５が裏面側から装着されている。
【００１９】
共通キャビネット６は、図１に示すように、機種依存キャビネット４の下部に重なった積層状態で螺着される横長の上部共通キャビネット７と、筐体正面の下半分を覆う横長の下部共通キャビネット９とを備えて構成されている。上部共通キャビネット７は、機種依存キャビネット４よりも大きく形成され、中央部に、リール装置の複数のリールを視認可能に露出させる窓８が横長の矩形に形成されている。
【００２０】
下部共通キャビネット９は、上部共通キャビネット７よりも大きく形成され、下部には、当選時にコインを払い出す払出口１０や灰皿付きのコインカップ１１が配設されており、下部共通キャビネット９の上部には、遊技者がコインを投入するコイン投入口１２と操作ユニット１３が配設されている。
【００２１】
受け治具２０は、図２ないし図５に示すように、寸法安定性や耐候性等に優れるＰＥＴ、ＰＰ、ＰＶＣ、ＰＳ等の成形材料を使用して水を充填可能な中空にブロー成形され、キャビネット３に接触する略リング形、略浮き輪形の成形体２１と、この成形体２１の流体充填口２２を開閉する着脱自在のキャップ２４とを備えて構成されている。
【００２２】
成形体２１は、キャビネット３の機種依存キャビネット４と共通キャビネット６の両側部に部分的に接触する表面２３が湾曲形成されるとともに、裏面が平坦に形成され、表面２３の外周部から円筒形の流体充填口２２が外方向に傾斜して突出しており、この流体充填口２２の外周面には、キャップの螺子と螺合する螺子締め用の螺子溝が螺刻形成されている。
キャップ２４は、例えばＰＰ等の成形材料を使用して成形体２１とは別に射出成形され、内周面に螺子が螺刻形成されている。
【００２３】
成形体２１の機種依存キャビネット４に接触する表面２３は、機種依存キャビネット４の形成に使用された三次元ＣＡＤデータ、特にその曲面データを用いて加工された金型により、傷防止等の観点から０．２〜０．５ｍｍオフセットした状態で機種依存キャビネット４の表面形状に略対応するよう凹凸に形成されている。金型は、加熱溶融され、チューブ形状（パリソン）に押し出された成形材料を挟む複数の型を備え、この複数の型のキャビティ面には、機種依存キャビネット４の表面形状がその形成に使用された三次元ＣＡＤデータにより加工されている。
【００２４】
上記において、受け治具２０を製造する場合には、先ず、加熱溶融した成形材料を押出機によりチューブ形状に押し出して金型に挟み、この挟まれたパリソンの下部をピンチオフして溶着させ、パリソンの内部に空気等の気体を吹き込んで冷却するとともに、型締めした金型を型開きして成形体２１を脱型し、その後、成形体２１の一部である流体充填口２２に、別に射出成形等されたキャップ２４を螺子締めすれば、受け治具２０を製造することができる。この成形の際、成形体２１の表面２３は、機種依存キャビネット４の表面形状に略対応するよう転写形成される。
【００２５】
次に、キャビネット３に各種の部品を装着して組み立てる場合には、製造された受け治具２０の軽量の成形体２１に水を充填して重さを調整し、受け治具２０が簡単に動かないようにし、この成形体２１の表面２３上に、機種依存キャビネット４と上部共通キャビネット７の一部とを重ねて搭載支持させ、これら機種依存キャビネット４と上部共通キャビネット７の内側に複数の基板や上部スピーカ等を複数本の螺子により上方から螺着すれば良い（図３、図４参照）。
【００２６】
この際、受け治具２０が機種依存キャビネット４と上部共通キャビネット７の一部とを点接触ではなく、面接触により水平に支持するので、例え螺子を上方から強く螺着しても、機種依存キャビネット４や上部共通キャビネット７が上下方向に傾くことがない。したがって、位置ずれを招くことなく安定した螺子締め作業が期待できる。
【００２７】
上記によれば、機種依存キャビネット４の表面側部に面接触する成形体２１の表面２３を既にキャビネット３の形成に使用された三次元ＣＡＤデータを用いて成形するので、例えキャビネット３の機種依存キャビネット４が複雑な形状でも、機種毎にダンボールの一部を切り欠いたり、対応する穴を空けることなく、機種依存キャビネット４を水平かつ安定に固定することができる。したがって、組立作業の円滑化、迅速化、容易化を図ることができ、組立作業の効率を著しく向上させることができる。
【００２８】
また、成形体２１が機種依存キャビネット４の中央部ではなく、表面側部に面接触するので、液晶ユニット５の損傷を何ら招くことがない。また、成形体２１中の水を増減して質量を調整することができるので、組立作業の作業性の向上や成形体２１の運搬、搬送、保管の便宜を図ることが可能となる。また、成形体２１がリング形なので、ブロー成形の容易化や成形材料の削減も大いに期待できる。
【００２９】
さらに、中空の受け治具２０に充填された水が緩衝機能を発揮するので、ドライバーにより螺子を螺子締めする際、ドライバーの作業方向からの圧力を吸収、減衰することができる。したがって、機種依存キャビネット４と上部共通キャビネット７に必要以上の負荷が作用するのを抑制防止することができるので、組み立て作業中の面接触部分の破損、変形を大幅に低減することが可能になる。
【００３０】
なお、上記実施形態では成形体２１をブロー成形したが、特に支障を来たさなければ、熱成形法、真空成形法、射出成形法等により成形しても良い。また、ブロー成形法には、押出ブロー成形法、射出ブロー成形法、延伸ブロー成形法、多層ブロー成形法等があるが、可能であれば、いずれの方法でも良い。また、成形体２１の裏面の全部又は一部に、滑り止めシート等の滑り止めをラミネーションしたり、貼着しても良い。さらに、キャップ２４を成形材料により射出成形しても良いが、各種の金属や紙等を使用して加工することにより製造することも可能である。
【図面の簡単な説明】
【００３１】
【図１】本発明に係る遊技機用治具の実施形態における遊技機を示す斜視説明図である。
【図２】本発明に係る遊技機用治具の実施形態における受け治具にキャビネットを支持させた状態を示す説明図である。
【図３】本発明に係る遊技機用治具の実施形態における受け治具にキャビネットを支持させて組み立てる状態を示す正面図である。
【図４】図３の側面図である。
【図５】本発明に係る遊技機用治具の実施形態における受け治具を示す斜視説明図である。
【図６】本発明に係る遊技機用治具の実施形態における他の遊技機を示す斜視説明図である。
【図７】本発明に係る遊技機用治具の実施形態における他の遊技機を示す斜視説明図である。
【符号の説明】
【００３２】
１          遊技機
２          筐体
３          キャビネット
４          機種依存キャビネット（機種依存部分）
５          液晶ユニット
６          共通キャビネット
７          上部共通キャビネット
９          下部共通キャビネット
２０        受け治具
２１        成形体
２２        流体充填口
２３        表面（キャビネットの機種依存部分に接触する領域）
２４        キャップ（蓋体）
【図１】
2007097941.tif 000003
【図２】
2007097941.tif 000004
【図３】
2007097941.tif 000005
【図４】
2007097941.tif 000006
【図５】
2007097941.tif 000007
【図６】
2007097941.tif 000008
【図７】
2007097941.tif 000009